(57)【要約】    【課題】  扉に既に取付けられている錠装置を電動駆動して施解錠する電気錠について扉に取付け傷などを付けることなく簡単に取付けることができる取付装置を提供する。    【解決手段】  取付板本体５４ａに、錠箱の上側面と一側面とに当接させて位置合せする位置合せ用板５５と、上下方向に移動調整することができる取付ねじ杆５８とを設けた取付板５４を備え、この取付板５４の背面側を錠装置近くの扉内面に接着した後に、取付孔３１ｄから差し入れた取付ねじ６８を取付ねじ杆５８にねじ込んで本体ケ−ス３１を仮止めし、仮止め状態で本体ケ−ス３１の上下方向位置を調整して連動ギヤ３４に嵌着したアタッチメント３６を錠装置のサムタ−ンに適度に嵌合させ、続いて、取付ねじを最終的にねじ込んで本体ケ−ス３１を固着させ、その後、カバ−３２を本体ケ−ス３２を被せる電気錠３０の取付装置となっている。【選択図】  図２
2005264444.tif 000002
【特許請求の範囲】
【請求項１】
扉の施解錠操作を可能にするキ−シリンダ及び前記キ−シリンダの動きに連動するサムタ−ンとを有する錠装置に付設して施解錠を電動駆動する電気錠の取付装置において、
前記サムタ−ンに連結させてこのサムタ−ンを回動させる連動機構と、
前記連動機構を電動駆動し、サムタ−ンを施錠位置と解錠位置とに回動させる駆動手段と、
リモコン等からの信号に応じて前記駆動手段を電気制御する制御手段とを備えた電気錠を設け、
さらに、前記連動機構をサムタ−ンに連結させる前記電気錠の取付位置を設定する取付板を設け、
この取付板を錠装置に対応させて扉の室内面に固着し、前記電気錠を取付板に取付けることを特徴とする電気錠の取付装置。
【請求項２】
請求項１に記載した電気錠の取付装置において、
前記取付板には、位置合せ部又は位置調整部、或いは、位置合せ部と位置調整部とを設け、
位置合せ部は、錠装置の錠箱或いはサムタ−ンのサムタ−ンカラ−又はサムタ−ンアウタ−に対接させて左右方向位置を合せる溝状部からなり、
位置調整部は、電気錠の取付位置を上下方向に調整できる電気錠の取付部からなることを特徴とする電気錠の取付装置。
【請求項３】
請求項１に記載した電気錠の取付装置において、
前記取付板には、位置合せ部と位置調整部とを設けると共に、位置合せ部は、各々の錠装置の錠箱形状或いはサムタ−ンのサムタ−ンカラ−形状又はサムタ−ンアウタ−形状に合せた溝状部を有する複数の位置合せ用板を選択的に着脱自在とし、
位置調整部は、電気錠の取付位置を上下方向に調整できる電気錠の取付部からなることを特徴とする電気錠の取付装置。
【請求項４】
請求項３に記載した電気錠の取付装置において、
位置合せ用板には、錠箱の上部と側部に対接させる溝状部或いはサムタ−ンのサムタ−ンカラ−又はサムタ−ンアウタ−に上方から嵌合する溝状部を設け、
電気錠を取付板の固着による支持と共に、錠箱或いはサムタ−ンカラ−又はサムタ−ンアウタ−に対接させる位置合せ用板によって支えることを特徴とする電気錠の取付装置。
【請求項５】
請求項１に記載した電気錠の取付装置において、
前記連動機構の連結部を錠装置のサムタ−ンの高さに合せるスペ−サ−を設け、
このスペ−サ−を前記電気錠の背面側に配置することを特徴とする電気錠の取付装置。
【請求項６】
請求項１〜５のいずれかに記載した電気錠の取付装置において、
前記取付板を接着剤を用いて扉面に固着することを特徴とする電気錠の取付装置。
【請求項７】
請求項１〜６のいずれかに記載した電気錠の取付装置において、
前記電気錠の背面側にマグネットを設け、金属材などの磁性材からなる扉については、取付板の固着と共に、マグネットを扉に付着させて電気錠を取付けることを特徴とする電気錠の取付装置。
【請求項８】
請求項１に記載した電気錠の取付装置において、
サムタ−ンの各種の形状に合せた嵌合孔を有する複数のアタッチメントを設け、
選択した一つのアタッチメントを前記した連動機構の連結部に着脱自在に取付けることを特徴とする電気錠の取付装置。
【発明の詳細な説明】
【技術分野】
【０００１】
本発明は、扉の錠装置に付設して施解錠を電動駆動する電気錠の取付装置に関する。
【背景技術】
【０００２】
扉に装備されている錠装置としては、扉外側からキ−によって回動させて施解錠するキ−シリンダと、扉内側で手動回動させて施解錠するサムタ−ンとを備えている。
このような錠装置は、多くの建物の扉に設けられた一般的な錠装置となっている。
【０００３】
上記した錠装置は、扉の外側から施解錠する場合は、キ−をキ−シリンダのキ−孔に差し入れて手動操作するが、周囲が暗いときにはキ−の差し入れに手間どることがあり、また、高齢者や子供にとっては必ずしも施解錠操作のし易いものでないため、今日では電動駆動により施解錠することができる電気錠が既に実用化されている。
【０００４】
図３３は、扉１０に取付けられた電気錠の一例を示す斜視図である。
なお、図３３（Ａ）は建物用扉の外面側一部を示し、図３３（Ｂ）はその扉の内面側の一部を示している。
【０００５】
この電気錠は、扉１０の外面に備えられた外側錠部１１に、キ−シリンダのキ−挿入口１２、送受信アンテナを有する送受信部などが設けられている。
また、扉１０の内面に備えられた内側錠部１３には、サムタ−ン１４、送受信アンテナを有する送受信部などが設けられている。
【０００６】
さらに、内側錠部１３には、モ−タ駆動により施解錠する電動駆動部と、キ−またはサムタ−ン１４による施解錠時に電動駆動系を切り離すクラッチ機構部が設けられている。
【０００７】
上記の電気錠は、外側錠部１１と内側錠部１３からチャレンジコ−ド信号と呼び出しコ−ド信号が常時送信されており、リモコン１５を携帯した者が扉１０に近づくと、チャレンジコ−ド信号と呼び出しコ−ド信号に応動したリモコン１５がレスポンスコ−ド信号を送信する。
【０００８】
外側錠部１１又は内側錠部１３がリモコン１５のレスポンスコ−ド信号を受信すると、そのレスポンスコ−ド信号と内部レスポンスコ−ド信号とを比較し、これら両信号が一致したときに施解錠モ−ドとなる。
この施解錠モ−ドにおいて、外側錠部１１と内側錠部１３に設けられているタッチスイッチ１６、１７を操作すると、解錠されている錠が施錠され、施錠されている錠が解錠される。
【０００９】
その他、図３１において、１８はデッドボルト、１９は電動駆動のためのコントロ−ラ、２０、２１は外側ハンドルと内側ハンドル、２２はラッチボルト、２３、２４は外側補助錠部と内側補助錠部を示す。
【００１０】
上記した電気錠は、新建築の扉に取付けるときには特に問題がないが、既存の錠装置と交換して取付ける場合には、扉に取付け孔の傷が付くため、賃貸住宅等では許可などを受ける必要があり、その上、素人では取付けることができないため、実用化が限られていた。
【００１１】
【特許文献１】特願２００３−３４３１２９号公報
【発明の開示】
【発明が解決しようとする課題】
【００１２】
扉に取付け孔などの傷をつけることなく、さらに、錠箱やサムタ−ンの形状に問われることなく、既に取付けられている錠装置に簡単に取付けることができる電気錠を提供することを目的とする。
【課題を解決するための手段】
【００１３】
上記した目的を達成するため、本発明では、第１の発明として、扉の施解錠操作を可能にするキ−シリンダ及び前記キ−シリンダの動きに連動するサムタ−ンとを有する錠装置に付設して施解錠を電動駆動する電気錠の取付装置において、前記サムタ−ンに連結させてこのサムタ−ンを回動させる連動機構と、前記連動機構を電動駆動し、サムタ−ンを施錠位置と解錠位置とに回動させる駆動手段と、リモコン等からの信号に応じて前記駆動手段を電気制御する制御手段とを備えた電気錠を設け、さらに、前記連動機構をサムタ−ンに連結させる前記電気錠の取付位置を設定する取付板を設け、この取付板を錠装置に対応させて扉の室内面に固着し、前記電気錠を取付板に取付けることを特徴とする電気錠の取付装置を提案する。
【００１４】
第２の発明としては、上記した第１の発明に係る電気錠の取付装置において、前記取付板には、位置合せ部又は位置調整部、或いは、位置合せ部と位置調整部とを設け、位置合せ部は、錠装置の錠箱或いはサムタ−ンのサムタ−ンカラ−又はサムタ−ンアウタ−に対接させて左右方向位置を合せる溝状部からなり、位置調整部は、電気錠の取付位置を上下方向に調整できる電気錠の取付部からなることを特徴とする電気錠の取付装置を提案する。
【００１５】
第３の発明としては、上記した第１の発明に係る電気錠の取付装置において、前記取付板には、位置合せ部と位置調整部とを設けると共に、位置合せ部は、各々の錠装置の錠箱形状或いはサムタ−ンのサムタ−ンカラ−形状又はサムタ−ンアウタ−形状に合せた溝状部を有する複数の位置合せ用板を選択的に着脱自在とし、位置調整部は、電気錠の取付位置を上下方向に調整できる電気錠の取付部からなることを特徴とする電気錠の取付装置を提案する。
【００１６】
第４の発明としては、上記した第３の発明に係る電気錠の取付装置において、位置合せ用板には、錠箱の上部と側部に対接させる溝状部或いはサムタ−ンのサムタ−ンカラ−又はサムタ−ンアウタ−に上方から嵌合する溝状部を設け、電気錠を取付板の固着による支持と共に、錠箱或いはサムタ−ンカラ−又はサムタ−ンアウタ−に対接させる位置合せ用板によって支えることを特徴とする電気錠の取付装置を提案する。
【００１７】
第５の発明としては、上記した第１の発明に係る電気錠の取付装置において、前記連動機構の連結部を錠装置のサムタ−ンの高さに合せるスペ−サ−を設け、このスペ−サ−を前記電気錠の背面側に配置することを特徴とする電気錠の取付装置を提案する。
【００１８】
第６の発明としては、上記した第１〜第５の発明のいずれかの電気錠の取付装置において、前記取付板を接着剤を用いて扉面に固着することを特徴とする電気錠の取付装置を提案する。
【００１９】
第７の発明としては、上記した第１〜第６の発明のいずれかの電気錠の取付装置において、前記電気錠の背面側にマグネットを設け、金属材などの磁性材からなる扉については、取付板の固着と共に、マグネットを扉に付着させて電気錠を取付けることを特徴とする電気錠の取付装置を提案する。
【００２０】
第８の発明としては、上記した第１の発明に係る電気錠の取付装置において、サムタ−ンの各種の形状に合せた嵌合孔を有する複数のアタッチメントを設け、選択した一つのアタッチメントを前記した連動機構の連結部に着脱自在に取付けることを特徴とする電気錠の取付装置を提案する。
【発明の効果】
【００２１】
第１の発明に係る電気錠の取付装置は、錠装置が既に備えられている扉の室内側面に取付板を固着し、電気錠の取付位置を設定した後、取付板に電気錠を取付ける。
電気錠をこのように位置決めして取付けることによって、その連動機構の連結部を錠装置のサムタ−ンに連結させることができる。
【００２２】
したがって、リモコン信号などによって電気錠を動作させれば、サムタ−ンが電動駆動されて解錠位置から施錠位置に、または、施錠位置から解錠位置に回動し、錠装置が施解錠する。
このように、扉に装備されている錠装置に付設させ、錠装置を電動駆動する電気錠となる。
【００２３】
第２の発明に係る電気錠の取付装置は、位置合せ部又は位置調整部、或いは、位置合せ部と位置調整部とを取付板に設け、電気錠と錠装置のサムタ−ンとの位置を合せるようにしてある。
すなわち、位置合せ部は、電気錠を取付ける左右方向位置を決めるものであり、位置調整部、電気錠を取付ける上下方向位置を決めるものとなっている。
【００２４】
例えば、位置合せ部は、錠箱の一側面に溝縁を対接させる溝状部を取付板に形成する。
つまり、錠箱の左側面からサムタ−ンまでの間隔距離は各々の錠装置において一定となっているから、その一側面を基準位置として取付板を固着させれば、取付板に取付けた電気錠の左右方向の位置を決めることができる。
【００２５】
さらに、サムタ−ンカラ−又はサムタ−ンアウタ−に対接させて位置合せする場合は、取付板に円弧状溝を形成し、この円弧状溝をサムタ−ンカラ−又はサムタ−ンアウタ−に嵌合させる位置合せ部として形成する。
【００２６】
また、上記した位置調整部は、取付板に電気錠を取付ける取付部を上下方向に移動調整することにより、電気錠の上下方向の取付け位置を調整することができる。
すなわち、錠箱の一側面からサムタ−ンまでの左右方向の距離は一定となっているが、サムタ−ンの上下方向位置が各々の錠装置によって変っているので、位置調整部の調整により、サムタ−ン位置に合せて電気錠の取付け位置を調整する。
【００２７】
したがって、上下方向の調整を要しない錠装置の場合は、取付板に位置合せ部だけを設ける。
また、取付板の板縁を錠箱の一側面に当接させて左右方向位置を決めるようにする場合は、取付板には位置合せ用の溝状部を設ける必要がないので位置調整部だけを設けるようにする。
さらに、左右方向の位置合せと上下方向の位置調整とが必要な錠装置に対しては、位置合せ部と位置調整部とを取付板に設ける。
【００２８】
上記のようにして、左右方向を位置合せして扉に固着した取付板に電気錠を取付けた後に、取付板に対して電気錠を上下方向に移動調整し、その調整後に取付固定する。
このように取付けた電気錠は、その連動機構を錠装置のサムタ−ンに確実に連結させることができる。
【００２９】
第３の発明に係る電気錠の取付装置は、各々の錠装置の錠箱形状或いはサムタ−ンのサムタ−ンカラ−形状又はサムタ−ンアウタ−形状に合せた溝状部を有する複数の位置合せ用板が設けてある。
すなわち、電気錠を付設する錠装置の錠箱形状に適合する位置合せ用板を選択して取付板に固着するようにしてある。
【００３０】
このように構成した取付装置は、選択して取付けた位置合せ用板によって、左右方向位置と、サムタ−ン位置に合せる上下方向の調整範囲とが定まる。
したがって、位置合せ用板によって左右位置を決めた後に、位置調整部によりサムタ−ンに正確に連結する電気錠の取付位置となる。
【００３１】
第４の発明に係る電気錠の取付装置は、取付板に着脱自在に固着する位置合せ用板が、電気錠の位置合せの他に電気錠を支える構成となっている。
【００３２】
第５の発明に係る電気錠の取付装置は、錠装置の背面側にスペ−サ−を設け、錠装置のサムタ−ンに合せて高さ調整するようになっている。
【００３３】
第６の発明に係る電気錠の取付装置は、扉面に傷がつかないように接着剤を用いて取付板を固着する。
接着剤としては、取付板の裏面に両面接着テ−プやその他の接着剤などを用いることができる。
【００３４】
第７の発明に係る電気錠の取付装置は、取付板の固着に加えてマグネットの磁気的な吸着力により電気錠を扉に取付けるようにする。
取付板を接着剤で固着した場合、電気錠の経年使用によって取付板が剥がれ、電気錠が落下するおそれがあるため、マグネットを補助的な取付け部材として設けてある。
【００３５】
第８の発明に係る電気錠の取付装置は、各々の錠装置のサムタ−ンに対応させるため、各々のサムタ−ン形状に合せた嵌合孔を有する複数のアタッチメントを用意し、電気錠を付設する錠装置のサムタ−ンに適合する一つのサムタ−ンを選択して連動機構の連結部に取付ける構成としてある。
【発明を実施するための最良の形態】
【００３６】
次に、本発明の一実施形態について図面に沿って説明する。
図１は電気錠の斜視図、図２はカバ−を取り外した状態を示す電気錠の斜視図、図３は図１上のＡ−Ａ線拡大断面図、図４は図３上のＢ−Ｂ線断面図、図５は電気錠の底面図である。
【００３７】
これらの図面に示したように、この電気錠３０は、本体ケ−ス３１にカバ−３２を被せ、ねじ３３によってカバ−３２を固着してある。
また、本体ケ−ス３１には、その一側部にサムタ−ン部所としたリング状部３１ａが形成してあり、また、リング状部３１ａ内には連動ギア３４が配設してある。
【００３８】
この連動ギア３４は、図６に示したように、ギア付のリング体となっており、図３、図４より分かるように、上記したリング状部３１ａのリング壁部を回転軸として回転自在とし、バックプレ−ト３５によって抜け止めしてある。
【００３９】
具体的には、上記の連動ギヤ３４は、図６の詳細図に示す通り、ギア３４ａと、スプリングにより押圧勢力を与えたプッシュブロック３４ｂと、本体ケ−ス３１のストッパ−部３１ｂ（図４参照）に当接させて回転を規制する当接舌片部３４ｃとを外周部に設け、内周部にアタッチメント３６を嵌着するための係止部３４ｄ及びガイド溝３４ｅを設けたリング体となっている。
なお、図６（Ａ）は連動ギヤ３４の正面図、図６（Ｂ）は図６（Ａ）上のＣ−Ｃ線断面図である。
【００４０】
また、アタッチメント３６は、図７に一例として示したように、錠装置のサムタ−ン形状に合せた嵌合孔３６ａを設けた円板状のもので、その外周部には、上記連動ギヤ３４に設けた係止部３４ｄに係止させる係止凸部３６ｂと、ガイド溝３４ｅに嵌合させるガイド凸部３６ｃが設けてあり、さらに、手動操作部としてのノブ３６ｄが立設してある。
【００４１】
なお、係止凸部３６ｂに接近させて形成した長孔は、係止凸部３６ｂに弾性をもたせるものである。
また、図７（Ａ）はアタッチメント３６の正面図、図７（Ｂ）はその側面図、図７（Ｃ）は図７（Ａ）上のＤ−Ｄ線断面図である。
【００４２】
このアタッチメント３６は、ガイド凸部３６ｃを連動ギヤ３４のガイド溝３４ｅに合せるようにして連動ギヤ３４内に挿入し、係止凸部３６ｂを係止部３４ｄに係止させて連動ギヤ３４に嵌着させる。
【００４３】
一方、本体ケ−ス３１には、駆動手段としてのモ−タ３７と、このモ−タ３７を電気制御する制御回路（制御手段）と、モ−タ３７によって電動駆動する連動機構とが設けてある。
【００４４】
モ−タ３７は、図８に詳細図として示したように、そのモ−タ出力を減速装置３８で減速して出力ロ−タ３９より出力させるようになっている。
なお、モ−タ３７は本体ケ−ス３１の電池ボックス３１ｃに装填した電源電池によって給電する直流モ−タとしてあるが、Ａ／Ｄ変換器などを備えれば、電源電池に変えて商用交流電源を用いることができる。
【００４５】
制御回路は、本体ケ−ス３１に備えた回路基板４０に各々の電気部品と共に設けてある。
この制御回路は後述する各スイッチのスイッチ信号やリモコン信号などに応動して上記モ−タ３７を電気制御する。
【００４６】
具体的には、制御回路が本体ケ−ス３１に設けた操作スイッチ４１のスイッチ信号、受信アンテナ４２で受信するリモコン信号に応動してモ−タ制御する他に、本体ケ−ス３１に設けたモ−ド切換スイッチ４３や後述するサムタ−ン位置の検出スイッチなどのスイッチ信号に応動してモ−タ制御する。
【００４７】
上記した操作スイッチ４１は、図２に示した如く、接近させる方向に押動操作する２つの操作部４１ａ、４１ｂを有するもので、２本の手指を使って操作部４１ａ、４１ｂを同時に操作したときにスイッチ信号を制御回路に送る。
【００４８】
この操作スイッチ４１には、透明材からなるスイッチカバ−４４を被せた後に、全体に覆うカバ−３２を本体ケ−ス３１に被せ、スイッチカバ−４４をカバ−３２の長孔３２ａ内に配設するようにしてある。
【００４９】
上記したモ−ド切換スイッチ４３は、ディップスイッチとして構成してあり、その操作設定によって通常モ−ドとセキュリティモ−ドとを選択設定する。
【００５０】
すなわち、通常モ−ドに設定した場合は、不正解錠防止機能を有しない動作モ−ドに制御回路を切換え、セキュリティモ−ドに設定した場合は、不正解錠防止機能を有する動作モ−ドに制御回路を切換える。
【００５１】
他方、モ−タ３７によって電動駆動される連動機構は、図３、図４より分かる通り、減速装置３８、出力ロ−タ３９、従動ロ−タ４５、クラッチ４６、駆動ギア４７、連動ギヤ３４によって構成してある。
【００５２】
従動ロ−タ４５は、図９に示した詳細図より分かる如く、中央部に出力ロ−タ３９に連結する軸孔４５ａを有する皿状の円形体で、その周囲部には検出スイッチＳＷ１（図４参照）を動作させる突形部４５ｂが形成してある。
【００５３】
この従動ロ−タ４５は、軸孔４５ａに出力ロ−タ３９を挿入して連結するが、軸孔４５ａの孔縁を凹凸状に形成してあることから、その凹凸が出力ロ−タ３９の外周凹凸に嵌合し、この従動ロ−タ４５が出力ロ−タ３９と一体的に回動する。
なお、図９（Ａ）は従動ロ−タ４５の正面図、図９（Ｂ）は図９（Ａ）上のＥ−Ｅ線断面図である。
【００５４】
上記したクラッチ４６は、図１０に示した詳細図のように、突出勢力を与えた２つのクラッチ突形部４６ａ、４６ｂを周囲の対称部所から突出させた円形構造のもので、中央部には上記した出力ロ−タ３９に軸着する軸孔４６ｃが設けてある。
なお、図１０（Ａ）はクラッチ４６の正面図、図１０（Ｂ）はその側面図、図１０（Ｃ）は図１０（Ａ）上のＦ−Ｆ線断面図である。
【００５５】
具体的には、一体形成の上下板部４６ｄ、４６ｅの間に、クラッチ突形部４６ａ、４６ｂを設けた弧状片４６ｆ、４６ｇを挿入し、これら弧状片４６ｆ、４６ｇの間に拡圧作用のコイルばね４８を設けた構成としてある。
【００５６】
また、クラッチ突形部４６ａ、４６ｂの一部を突入させた上下板部４６ｄ、４６ｅの小孔によって、クラッチ突形部４６ａ、４６ｂの突出移動を図示する位置で規制している。
【００５７】
上記のクラッチ４６は、軸孔４６ｃに出力ロ−タ３９を挿入して軸支させる。
この場合、軸孔４６ｃの孔縁凹凸が出力ロ−タ３９の外周凹凸に嵌合することから、このクラッチ４６が出力ロ−タ３９と一体的に回動する。
【００５８】
また、このクラッチ４６は図３、図４に示すように、上記した従動ロ−タ４５と次に述べる駆動ギア４７との間に設け、駆動ギア４７との間でクラッチ動作させる。
【００５９】
駆動ギア４７は、図１１に詳細図として示したように、周囲全体にギア４７ａを有する円形ギアで、一面側に円形凹部４７ｂを形成し、その円形凹部４７ｂの中央部に支軸４７ｃを直立に立設形成してある。
なお、図１１（Ａ）は駆動ギア４７の正面図、図１１（Ｂ）は図１１（Ａ）上のＧ−Ｇ線断面図である。
【００６０】
また、上記の円形凹部４７ｂの対称位置となる円形壁には、上記クラッチ４６のクラッチ突形部４６ａ、４６ｂが当接して押し回す２つの張出突出部４７ｄ、４７ｅが設けてある。
この駆動ギア４７は、図３に示してあるように、支軸４７ｃを出力ロ−タ３９の中央孔３９ａを通して減速装置３８に回転自在に軸支させてある。
【００６１】
上記したところのクラッチ４６と駆動ギア４７とは連動機構の連動系を連結したり、切断をしたりするもので、クラッチ突形部４６ａ、４６ｂが張出突出部４７ｄと４７ｅとの間を移動するときはクラッチ非連結となり、クラッチ突形部４６ａ、４６ｂが張出突出部４７ｄ、４７ｅを押し回すときはクラッチ連結となる。
【００６２】
また、このクラッチ４６は、駆動ギア４７を強く回動させると、クラッチ突形部４６ａ、４６ｂがばね勢力に抗して後退し、張出突出部４７ｄ、４７ｅを乗り越える。
この場合にもクラッチ非連結となり、連動系が切断される。
【００６３】
上記した駆動ギア４７は、図３、図４に示した如く、既に述べたところの連動ギヤ３４と噛合させ、駆動ギア４７によって連動ギヤ３４を連動回動させる。
【００６４】
一方、本体ケ−ス３１には、図４に示したように、従動ロ−タ４５の突形部４５ｂによって動作する検出スイッチＳＷ１が設けてある。
このスイッチＳＷ１は、常時ＯＦＦとなっており、リンクベ−ス４９に設けたリンクバ−５０が上記の突形部４５ｂに押動されたときにスイッチ動作しＯＮする。
【００６５】
また、連動ギヤ３４のプッシュブロック３４ｂによって動作させる２つの検出スイッチＳＷ２、ＳＷ３が本体ケ−ス３１に設けてある。
これら検出スイッチＳＷ２、ＳＷ３は、連動ギヤ３４と一体的に回動するサムタ−ンの施錠位置と解錠位置とを検出する。
【００６６】
すなわち、検出スイッチＳＷ２が施錠位置を検出する検出スイッチ、検出スイッチＳＷ３が解錠位置を検出する検出スイッチとなっている。
なお、検出スイッチＳＷ２、ＳＷ３は、それらの動作部がプッシュブロック３４ｂによって押動されることでＯＮからＯＦＦとなる。
【００６７】
したがって、図示状態では、検出スイッチＳＷ３がＯＦＦしており、制御回路がそのＯＦＦ信号に応動してサムタ−ンが解錠位置、つまり、錠装置が解錠していることを認識する。
【００６８】
さらに、本体ケ−ス３１の背面側には、図５に示したように、マグネット５１と通信ユニット５２とが設けてある。
マグネット５１は、取付けた電気錠３０の取り外れを防ぐものである。
【００６９】
つまり、電気錠３０は後述するように取付板を扉面に接着して取付けるが、長年の経過などによって取付板の接着が剥離したときは、電気錠３０が扉から取外れてしまうため、上記したマグネット５１を扉に吸着させ、その取外れを防ぐようにしてある。
なお、一般の扉は金属板などの磁性材で構成されているため、上記したマグネット５１を備えることが好ましい。
【００７０】
上記した通信ユニット５２は、その接続端子である外部出力部５３を介して電気錠３０の近傍に設けられた電話線等の通信機器（例えば、通信モデム）に接続し、通信ユニット５２と通信機器とにより信号通信できるようにしてある。
【００７１】
すなわち、検出スイッチＳＷ２、ＳＷ３の検出信号、非検出信号に応じた錠状態信号を通信ユニット５２と通信機器とを介して監視センタ−に送り、監視センタ−で不正解錠行為を監視するシステムと連携させることができる。
【００７２】
以上から構成した本実施形態の電気錠３０は、アタッチメント３６を連動ギヤ３４に嵌着した後、図２に示したところの取付板５４と取付ねじ６８によって扉に取付ける。
【００７３】
取付板５４は、図１２、図１３、図１４に詳細図として示してあるように、取付板本体５４ａと、この取付板本体５４ａにねじ止めする位置合せ用板５５、５６、５７と、取付ねじ杆５８とより構成してある。
【００７４】
取付板本体５４ａは、図１２より分かる通り、右側下半部を切欠いた板状体で、その切欠部の上部所にねじ孔５４ｂ、５４ｃが設けてある。
また、この取付板本体５４ａの裏面には、図１３に示すように、両面接着テ−プ５９を張り付けてある。
【００７５】
さらに、この取付板本体５４ａには、位置調整部として形成した３つの取付ねじ杆５８が上下方向に移動調整自在に設けてある。
【００７６】
具体的には、図１５に拡大断面図として示したように、取付板本体５４ａには、縦長膨出部５４ｄと、この縦長膨出部５４ｄに形成した縦長孔５４ｅとを設け、上記した取付ねじ杆５８を縦長孔５４ｅを通して突出してある。
また、この取付ねじ杆５８は、内面に雌ねじを設けた筒状管で、縦長膨出部５４ｄ内を移動する拡径部５８ａによって抜け止めしてある。
なお、図１５は図１２上のＨ−Ｈ線拡大断面図である。
【００７７】
位置合せ部を構成する上記の位置合せ用板５５、５６、５７は、図１４に示した通り、取付板本体５４ａにねじ止めするためのねじ孔５５ａ、５６ａ、５７ａを有している。
そして、位置合せ用板５５、５６については、各々の錠装置の錠箱形状に合せたＬ字状の切欠部５５ｂ、５６ｂが設けてあり、また、位置合せ用板５７には、錠装置のサムタ−ンカラ−形状に合せた半円溝５７ｂが設けてある。
【００７８】
このように構成した位置合せ用板５５、５６、５７は、電気錠３０を付設する錠装置の錠箱やサムタ−ンカラ−に対応していずれか一つの位置合せ用板を選択し、ねじ止めによって取付板本体５４ａに固着する。
図１６は、位置合せ用板５５をねじ６０によって取付板本体５４ａに取付けたときの図１２上のＫ−Ｋ線に沿った拡大断面図を示す。
【００７９】
図１７は、第１型式として示した錠装置６１に上記した電気錠３０を取付ける取付過程を示す正面図である。
なお、錠装置６１は扉６２に取付けられている公知構成のもので、錠箱６３には、ドアノブ６４、サムタ−ン６５、デッドボルト６６、ラッチボルト６７などが設けられている。
【００８０】
この錠装置６１は、サムタ−ン６５が正面から見て楕円形状であるので、図７に示したアタッチメント３６を連動ギヤ３４に嵌着する。
また、錠箱６３の上側面とサムタ−ン６５までの距離Ｙ１が比較的に短い型式のものであるので、取付板本体５４ａには図１４（Ａ）に示した位置合せ用板５５を取付ける。
なお、錠箱６３の左側面からサムタ−ン６５までの距離間隔ＸＯは各々の錠装置において同じ長さとなっている。
【００８１】
そして、取付板５４は、位置合せ用板５５の切欠部５５ｂを錠箱６３の上側面と左側面とに当接させるようにしてその裏面を扉６２の内面に接着する。
なお、この接着は取付板本体５４ａの裏面に設けてある両面接着テ−プで行なう。
【００８２】
取付板５４を接着固定した後に、電気錠３０の本体ケ−ス３１を取付板５４にねじ止めする。
本体ケ−ス３１には、図２に示すように、一方側の２ケ所と他方側の１ケ所に取付孔３１ｄが設けてある。
この取付孔３１ｄは、図２０に示したように、中程の一部を小径とした円筒孔で、この取付孔３１ｄより取付ねじ６８を差し入れて取付ねじ杆５８にねじ込む。
【００８３】
このとき、取付ねじ杆５８を多少弛めておき、電気錠３０を仮止め状態とし、この状態で電気錠３０の上下方向の取付位置を調整する。
具体的には、錠装置６１のサムタ−ン６５をアタッチメント３６の嵌合孔３６ａに適度に嵌合させるように電気錠３０の上下位置を調整する。
この調整では取付ねじ杆５８が取付板本体５４ａに対して上下方向に移動する。
【００８４】
上下方向の位置調整は、サムタ−ン６５をアタッチメント３６に適度に嵌合させる調整の他に、図２１（Ｂ）に示すように、同じ型式の錠装置であってもサムタ−ン６５が距離Ｙ１１のように下方位置となっているものがあるので、このような錠装置においても位置調整部によって本体ケ−ス３１を下方向に移動調整してアタッチメント３６をサムタ−ン６５に合せることができる。この場合は、アタッチメント３６は交換しなくともよい。
【００８５】
上記の調整によってサムタ−ン６５に対するアタッチメント３６の位置を合せた後に、取付ねじ６８を最終的にねじ込み、電気錠３０を取付板５４に固着する。
その後にカバ−３２を本体ケ−ス３１に被せねじ３３によってねじ止めする。
図１８は上記のように取付けた電気錠３０の正面図、図１８は同電気錠３０の側面図である。
【００８６】
次に、上記した電気錠３０の動作について説明する。
この電気錠３０は、モ−ド切換スイッチ４３によって通常モ−ドとセキュリティモ−ドとに切換えることができる。
【００８７】
通常モ−ドにおいては、リモコン操作によりリモコン信号に応動し、制御回路がモ−タ３７を電気制御し、これより、減速装置３８、出力ロ−タ３９、クラッチ４６、駆動ギア４７、連動ギヤ３４からなる連動機構によってアタッチメント３６が回動されるため、サムタ−ン６５が施錠位置又は解錠位置に回動する。
【００８８】
つまり、サムタ−ン６５が施錠位置にあれば、解錠位置に電動駆動され、錠装置６１が解錠する。
それとは反対に、サムタ−ン６５が解錠位置にあれば、施錠位置に電動駆動され、錠装置６１が施錠する。
なお、この通常モ−ドでは、キ−シリンダをキ−操作し、また、サムタ−ン６５を扉内側で回動操作することによっても施解錠することができる。
【００８９】
一方、セキュリティモ−ドにおいては、キ−シリンダとサムタ−ン６５の手動操作が防止される。
すなわち、リモコン信号の動作は上記と同様にサムタ−ン６５を解錠位置と施錠位置に電動駆動することができるが、施錠位置にあるキ−シリンダ又はサムタ−ン６５を解錠方向に手動回動すると、検出スイッチＳＷ２がＯＦＦからＯＮとなり、このスイッチ信号に応動した制御回路がモ−タ３７を電気制御し、サムタ−ン６５を施錠位置に戻り回動させる。
【００９０】
具体的には、キ−シリンダやサムタ−ン６５が不正に回動された場合は、サムタ−ン６５を施錠位置に戻り回動させ、ピッキングなどによる不正解錠行為を防止する。
なお、サムタ−ン６５の戻り回動は、解錠位置で手動操作されたときも、同様に戻り回動するようにしてある。
【００９１】
なお、セキュリティモ−ドでは、キ−シリンダ又はサムタ−ン６５を住人が手動回動した場合にも、常に施錠位置又は解錠位置に戻り回動するため、キ−シリンダ又はサムタ−ン６５を強い操作力で回動することにより、施解錠することができるようになっている。
この場合は、駆動ギア４７の張出突出部４７ｄ、４７ｅがクラッチ４６のクラッチ突形部４６ａ、４６ｂを乗り越えて進む。
【００９２】
他方、上記した電気錠３０は、通常はリモコン操作で施解錠するが、スイッチカバ−４４を取り外しておくことにより、操作スイッチ４１の操作によって施解錠することができる。
【００９３】
図２２は、第２型式として示した錠装置６９に電気錠３０を付設する取付過程を示す。
この錠装置６９は、円形部よりノブを突出させたサムタ−ン７０を有する公知構成のもので、錠箱７１の上側面とサムタ−ン７０までの間隔距離が比較的に長くＹ２となっている。
その他、この図に示す参照符号７２は扉、７３は内側ハンドル、７４はデッドボルト、７５はラッチボルトを示す。
【００９４】
電気錠３０を錠装置６９に付設する場合は、図２３に示したアタッチメント７６を連動ギヤ３４に嵌着する。
このアタッチメント７６には、上記したサムタ−ン７０の嵌合孔７６ａと、連動ギヤ３４の係止部３４ｄに係止させる係止凸部７６ｂと、そのガイド溝３４ｅに嵌合させるガイド凸部７６ｃとが設けてある。
なお、図２３（Ａ）はアタッチメント７６の正面図、図２３（Ｂ）はその側面図、図２３（Ｃ）は図２３（Ａ）上のＬ−Ｌ線断面図である。
【００９５】
また、取付板本体５４ａには、図１４（Ｂ）に示す位置合せ用板５６を取付けて取付板５４を形成する。
さらに、上記の錠装置６９は、扉面に対するサムタ−ン７０の高さが比較的に高い型式のものであるので、図２４に示す高さ調整枠（スペ−サ−）７７を用いる。
【００９６】
取付板５４は、位置合せ用板５６の切欠部５６ｂを錠箱７１の上側面と左側面とに対接させるようにして上記同様に扉面に接着する。
そして、高さ調整枠７７の孔部７７ａに取付ねじ杆５８を挿入させてこの高さ調整枠７７を取付板５４に装備させる。
なお、この高さ調整枠７７には、扉面に吸着させるマグネットを設けることができる。
【００９７】
その後、サムタ−ン７０をアタッチメント７６の嵌合孔７６ａに嵌合させ、また、本体ケ−ス３１の取付孔３１ｄに差し入れた取付ねじ６８を取付ねじ杆５８にねじ込んで、本体ケ−ス３１を仮止めし、上記同様に上下方向の位置調整をする。
【００９８】
なお、位置合せ用板５６を取付けた取付板５４によって、サムタ−ン７０が距離Ｙ２より下方向に位置している他の錠装置においても本体ケ−ス３１の調整可能範囲となるから、位置調整部によって本体ケ−ス３１を下方向に位置調整してアタッチメント７６をサムタ−ン７０に合せることができる。
【００９９】
この位置調整により、サムタ−ン７０をアタッチメント７６の嵌合孔７６ａに適度に嵌合させ、その後、最終的に取付ねじ６８をねじ込んで本体ケ−ス３１を取付板５４に固着する。
続いて、上記同様にカバ−３２を本体ケ−ス３１に被せる。
図２５は錠装置６９に電気錠３０を付設した状態を示す正面図、図２６はその側面図である。
【０１００】
図２７は、第３型式として示した錠装置７８に電気錠３０を取付ける場合の取付け過程を示す。
この錠装置７８は、サムタ−ンカラ−７９ａを有するサムタ−ン７９を備えた公知構成のものである。
なお、サムタ−ン７９は図２８（Ｂ）に示したように、サムタ−ンカラ−７９ａをばね力に抗して前方向に引き出し、サムタ−ンカラ−７９ａと錠箱８０との間の間隔を調整するようになっている。
【０１０１】
上記の錠装置７８に電気錠３０を付設する場合は、図２９に示すアタッチメント８１を連動ギヤ３４に嵌着する。
なお、図２９（Ａ）は上記アタッチメント８１の正面図、図２９（Ｂ）はその側面図、図２９（Ｃ）は図２９（Ａ）上のＭ−Ｍ線断面図であり、図示する参照符号８１ａはサムタ−ン７９のノブ７９ｂを嵌合させる嵌合孔、８１ｂは係止凸部、８１ｃはガイド凸部である。
【０１０２】
また、取付板本体５４ａには図１４（Ｃ）に示す位置合せ用板５７を取付けて取付板５４を形成する。
そして、この取付板５４は、図２７に示す如く、位置合せ用板５７の半円溝５７ｂをサムタ−ンカラ−７９ａの周面に嵌合させ、両面接着テ−プ５９によって扉８２の内面に接着する。
【０１０３】
本体ケ−ス３１の取付けは上記同様であって、アタッチメント８１の嵌合孔８１ａにサムタ−ン７９のノブ７９ｂを嵌入させ、また、取付孔３１ｄに差し入れた取付ねじ６８を取付ねじ杆５８にねじ込んで本体ケ−ス３１を取付板５４に仮止めして本体ケ−ス３１の上下方向位置を調整し、続いて、取付ねじ６８を最終的にねじ込み、本体ケ−ス３１を取付板５４に固着し、その後、カバ−３２を本体ケ−ス３１に被せる。
【０１０４】
図３０は錠装置３０を錠装置７８に付設した状態を示す正面図、図３１はその側面図である。
なお、図３１に示した参照符号８３、８４は内側ハンドルと外側ハンドル、８５はデッドボルト、８６はラッチボルト、８７はキ−シリンダ内装部である。
【０１０５】
他方、第３型式として示した上記の錠装置７８については、サムタ−ンアウタ−７９ｃに嵌合させる位置合せ用板を設け、この位置合せ用板を取付けた取付板５４によって電気錠３０の取付け位置を定めるようにすることができる。
【０１０６】
このように実施する場合は、半円溝の溝径をサムタ−ンアウタ−７９ｃに合せるように形成した位置合せ用板を上記した位置合せ用板５７と同様に設け、この位置合せ用板を取付板本体５４ａに取付ける。
そして、取付板５４を接着するときに、サムタ−ンカラ−７９ａと錠箱８０の間に位置合せ用板を差し込れ、この位置合せ用板の半円溝をサムタ−ンアウタ−７９ｃに嵌合させる。
【０１０７】
なお、図２８に示すようなサムタ−ン７９については、図３２（Ａ）に示す如く、ノブ７９ｂの回転中心がサムタ−ンカラ−７９ａの中心に位置するものと、図３２（Ｂ）に示す如く、ノブ７９ｂの回転中心がサムタ−ンカラ−７９ａの中心からＹ３３のように位置ずれさせたものがある。
したがって、図３２（Ｂ）のようなサムタ−ン７９についても、取付板５４の位置調整部を調整して本体ケ−ス３１を下方向に移動調整し、サムタ−ン７９のノブ７９ｂをアタッチメント８１の嵌合孔８１ａに嵌合させることができる。
【０１０８】
また、上記したサムタ−ン７９は、サムタ−ンカラ−７９ａ又はサムタ−ンアウタ−７９ｃの大きさ（直径）が違うものがあるが、サムタ−ンカラ−７９ａ又はサムタ−ンアウタ−７９ｃの最も大きいものに合せて位置合せ用板５７の半円溝５７ｂを形成する。
したがって、小さい直径のサムタ−ンカラ−又はサムタ−ンアウタ−の場合は、左右方向にずれるおそれがあるが、実際の取付けでは、位置合せ用板の半円溝をサムタ−ンカラ−又はサムタ−ンアウタ−の上方から抑えるように嵌合させるので、サムタ−ンカラ−又はサムタ−ンアウタ−の左右位置と位置合せ用板の半円溝の左右位置とが合うようになる。
なお、各々のサムタ−ンカラ−又はサムタ−ンアウタ−に合せた半円溝を設けた複数の位置合せ用板を設け、これら位置合せ用板の中から選択した一つの位置合せ用板を取付板本体５４ａに取付けるようにすることもできる。
【０１０９】
上記のように取付板５４を使用して電気錠３０を取付ければ、錠箱６３、７１の上側面と左側面とに当接する位置合せ用板５５、５６が左右方向の位置決めと電気錠３０の支持作用を持ち、また、サムタ−ンカラ−７９ａ、サムタ−ンアウタ−７９ｃに上方から当接する位置合せ用板５７が左右方向の位置決めと電気錠３０の支持作用を持つようになって有利である。
【０１１０】
なお、本発明の実施に際しては、上下方向の位置調整部が不要であるときは、位置合せ用板５５、５６、５７を取付板本体５４ａに取付ける構成とし、また、左右方向の位置合せが取付板本体５４ａの板縁で決めることがきるときは、取付板本体５４ａに位置調整部のみを設けるように構成することができる。
【０１１１】
以上、本発明の実施形態について説明したが、本発明は、扉に既に装備されている錠装置に付設する電気錠として実施する場合にかぎらず、扉に新たに装備する錠装置と共に取付けるように実施してもよい。
【産業上の利用可能性】
【０１１２】
建物の扉に装備されているサムタ−ン付の各種の錠装置に付設する電気錠の取付装置として利用することができる。
【図面の簡単な説明】
【０１１３】
【図１】本発明の一実施形態として示した電気錠の斜視図である。
【図２】カバ−を取り外した上記電気錠と取付板とを示した斜視図である。
【図３】図１上のＡ−Ａ線拡大断面図である。
【図４】図３上のＢ−Ｂ線断面図である。
【図５】上記した電気錠の底面図である。
【図６】図６（Ａ）は連動ギヤの正面図、図６（Ｂ）は図６（Ａ）上のＣ−Ｃ線断面図である。
【図７】図７（Ａ）はアタッチメントの正面図、図７（Ｂ）は同アタッチメントの側面図、図７（Ｃ）は図７（Ａ）上のＤ−Ｄ線断面図である。
【図８】上記電気錠に備えたモ−タと減速装置を示す正面図である。
【図９】図９（Ａ）は従動ロ−タの正面図、図９（Ｂ）は図９（Ａ）上のＥ−Ｅ線断面図である。
【図１０】図１０（Ａ）はクラッチの正面図、図１０（Ｂ）は同クラッチの側面図、図１０（Ｃ）は図１０（Ａ）上のＦ−Ｆ線断面図である。
【図１１】図１１（Ａ）は駆動ギアの正面図、図１１（Ｂ）は図１１（Ａ）上のＧ−Ｇ線断面図である。
【図１２】取付板本体の正面図である。
【図１３】取付板本体の背面図である。
【図１４】図１４（Ａ）は錠箱に当接させて位置合せする位置合せ用板の一例を示す正面図、図１４（Ｂ）は他の例を示す上記同様の位置合せ用板の正面図、図１４（Ｃ）はサムタ−ンカラ−に当接させて位置合せする位置合せ用板を示す正面図である。
【図１５】図１２上のＨ−Ｈ線拡大断面図である。
【図１６】取付板本体に位置合せ用板を取付けて図１２上のＫ−Ｋ線に沿って切断した拡大断面図である。
【図１７】第１型式として示した錠装置に電気錠を取付ける取付け過程を示す図である。
【図１８】第１形式として示した錠装置に付設した電気錠の正面図である。
【図１９】第１型式として示した錠装置に付設した電気錠の側面図である。
【図２０】取付ねじ杆に取付ねじをねじ込んで電気錠を取付ける構成部分を示した部分断面図である。
【図２１】図２１（Ａ）、（Ｂ）はサムタ−ンの取付け位置の違いを示す錠箱の部分的な正面図である。
【図２２】第２型式として示した錠装置に電気錠を取付ける取付け過程を示す図である。
【図２３】図２３（Ａ）は図２２に示した電気錠のサムタ−ンを嵌合させるアタッチメントの正面図、図２３（Ｂ）は同アタッチメントの側面図、図２３（Ｃ）は図２３（Ａ）上のＬ−Ｌ線断面図である。
【図２４】電気錠の高さ調整枠を示す斜視図である。
【図２５】図２２に示した錠装置に電気錠を付設した状態を示す正面図である。
【図２６】図２２に示した錠装置に電気錠を付設した状態を示す側面図である。
【図２７】第３型式として示した錠装置に電気錠を取付ける取付け過程を示す図である。
【図２８】図２８（Ａ）は図２７に示した錠装置のサムタ−ンを示す側面図、図２８（Ｂ）はサムタ−ンカラ−を引き出した状態を示す同サムタ−ンの側面図である。
【図２９】図２９（Ａ）は図２７に示した錠装置のサムタ−ンを嵌合させるアタッチメントの正面図、図２９（Ｂ）は同アタッチメントの側面図、図２９（Ｃ）は図２９（Ａ）上のＭ−Ｍ線断面図である。
【図３０】図２７に示した錠装置に電気錠を付設した状態を示す正面図である。
【図３１】図２７に示した錠装置に電気錠を付設した状態を示す側面図である。
【図３２】図３２（Ａ）、（Ｂ）はノブの回転中心が異なるサムタ−ンを示した正面図である。
【図３３】扉に装備された従来例の電気錠を示し、図３３（Ａ）は扉の外面側を、図３３（Ｂ）は扉の内面側を各々示した図である。
【符号の説明】
【０１１４】
３０  電気錠
３１  本体ケ−ス
３１ｄ  取付孔
３２  カバ−
３４  連動ギヤ
３４ｄ  係止部
３４ｅ  ガイド溝
３６  アタッチメント
３６ａ  嵌合孔
３６ｂ  係止凸部
３６ｃ  ガイド凸部
３７  モ−タ
４１  操作スイッチ
４３  モ−ド切換スイッチ
５１  マグネット
５４  取付板
５４ａ  取付板本体
５５、５６、５７  位置合せ用板
５８  取付ねじ杆
５９  両面接着テ−プ
６１  錠装置
６３  錠箱
６５  サムタ−ン
６８  取付ねじ
６９  錠装置
７０  サムタ−ン
７１  錠箱
７６  アタッチメント
７７  高さ調整枠
７８  錠装置
７９  サムタ−ン
７９ａ  サムタ−ンカラ−
７９ｃ  サムタ−ンアウタ−
８１  アタッチメント
【図１】
2005264444.tif 000003
【図２】
2005264444.tif 000004
【図３】
2005264444.tif 000005
【図４】
2005264444.tif 000006
【図５】
2005264444.tif 000007
【図６】
2005264444.tif 000008
【図７】
2005264444.tif 000009
【図８】
2005264444.tif 000010
【図９】
2005264444.tif 000011
【図１０】
2005264444.tif 000012
【図１１】
2005264444.tif 000013
【図１２】
2005264444.tif 000014
【図１３】
2005264444.tif 000015
【図１４】
2005264444.tif 000016
【図１５】
2005264444.tif 000017
【図１６】
2005264444.tif 000018
【図１７】
2005264444.tif 000019
【図１８】
2005264444.tif 000020
【図１９】
2005264444.tif 000021
【図２０】
2005264444.tif 000022
【図２１】
2005264444.tif 000023
【図２２】
2005264444.tif 000024
【図２３】
2005264444.tif 000025
【図２４】
2005264444.tif 000026
【図２５】
2005264444.tif 000027
【図２６】
2005264444.tif 000028
【図２７】
2005264444.tif 000029
【図２８】
2005264444.tif 000030
【図２９】
2005264444.tif 000031
【図３０】
2005264444.tif 000032
【図３１】
2005264444.tif 000033
【図３２】
2005264444.tif 000034
【図３３】
2005264444.tif 000035